(57)【特許請求の範囲】
【請求項１】
建物への浸水防止のため前記建物の出入口に設置される防水装置であって、
上部が開放されて内部に水を溜める複数のボックスで構成され、
前記ボックスは前記上部から下部にかけて勾配を付けることで前記上部よりも底面を小さくし、
前記底面に水抜き穴を設け、
前記上部の対向した側面の二か所に切り欠きを設け、
前記切り欠きの一方は、切り欠いた部分に他の前記ボックスと連結させる連結部を形成し、
前記ボックスには内側向きに突き出し部を設け、
前記切り欠きを形成しない前記側面の外側に規制溝を設け、前記ボックスを複数連結させた状態において、止水プレートを隣り合う前記ボックスの間を塞ぐ位置に、前記規制溝に挟んで取り付けることを特徴とする防水装置。
【請求項２】
前記ボックスは略直方体のメインボックスと略扇形のサブボックスであり、どちらか一方あるいは両方を複数連結させることで任意の形に組み立てることを特徴とする請求項１に記載の防水装置。
【請求項３】
前記サブボックスは、単体または複数連結させて扇形の角度を変更できることを特徴とする請求項２に記載の防水装置。
【請求項４】
前記規制溝は、前記ボックスの前記下部から前記上部に傾斜を付けて配置し、前記ボックスを横に連結させたとき前記ボックス間で前記規制溝の間には上部が狭くなる台形形状を形成することを特徴とする請求項１に記載の防水装置。
【請求項５】
前記止水プレートは、前記ボックスより柔らかい材質とし、前記規制溝に合わせた台形形状と同等以上の寸法とし、前記規制溝に強制的に挟み込むことを特徴とする請求項１に記載の防水装置。
【請求項６】
前記ボックスにおいて前記突き出し部は、対向した前記側面二か所に設けてボックスを上に載せるときの受け面とし、前記突き出し部の一部は突き出し量を変えて上段に載せる前記ボックスの姿勢を保持することを特徴とする請求項１に記載の防水装置。
【請求項７】
前記メインボックスでは、前記突き出し部を対向する側面の中央部を含む位置に形成し、かつ対向する前記側面で互いに異なる形状とし、前記メインボックスを積み重ねる方向を変えることで重なり量が変わることを特徴とする請求項２に記載の防水装置。
【請求項８】
前記ボックスを複数連結させた状態において、連結された前記切り欠きと前記連結部が水路を構成し、複数連結された前記ボックスのうち中央付近に設置される前記ボックスの一つに注水すると前記水路を経由して全ての前記ボックスに注水され、前記ボックスが二段連結されるときは上段に載せた前記ボックスの前記水抜き穴を水路として、前記上段から下段へ注水されることを特徴とする請求項１に記載の防水装置。
【請求項９】
前記ボックスの側面のうち少なくとも一つは前記側面の内側と外側が平坦であることを特徴とする請求項１記載の防水装置。
【請求項１０】
前記ボックスの側面のうち少なくとも一つの前記側面に防水シートを掛ける突起を設けることを特徴とする請求項１記載の防水装置。
【発明の詳細な説明】
【技術分野】
【０００１】
本発明は、台風や豪雨による増水時に住宅や商業施設など建物の出入口への浸水を防止するための防水装置に関する。
【背景技術】
【０００２】
近年の気候変動により台風、豪雨による水害が増加しており、建物の浸水対策への要望が高まっている。大規模な浸水防止設備を準備できない場合、簡易的な手段として土のうや水のうなどが一般住宅や小規模施設で用いられている。土のうを用いる場合では、地方自治体などで袋と砂が提供されるが、砂置場に出向いて袋に砂を詰めて持ち帰り設置するという作業になるため、トラックや多くの人手が必要となり重労働である。
砂の代わりに水袋を使う水のうや、袋に入れた親水性ポリマーを水で膨らませて固形物にする水のうなども市販されているが、水を入れて運ぶ作業の労力は土のうと大差なく、また親水性ポリマーを使う場合は膨張した袋を使用後に処理することが難しいという問題があった。
【先行技術文献】
【特許文献】
【０００３】
【特許文献１】特許６４３６４１０号公報
【特許文献２】特許４７１８８８７号公報
【特許文献３】特開２０１９−２１７２号公報
【非特許文献】
【０００４】
【非特許文献１】アクアディフェンサー シリ−ズ「防水ボックス」カタログ  株式会社ダイクレ  インターネット＜https://webb-daikure.net/catalogcat/%e7%b0%a1%e6%98%93%e9%98%b2%e6%b0%b4%e8%a3%bd%e5%93%81/＞
【発明の概要】
【発明が解決しようとする課題】
【０００５】
土のうや水のうに代わる先行技術として、特許文献１に記載の浸水防止用水のう箱がある。この浸水防止用水のう箱は、直方体と円弧状の箱をブロックのように水平・垂直方向に組み合わせて連結させ、箱の中には水を入れて住宅や施設の入口に防水壁を構成する。この箱は軽量でコンパクトに収納できるとしており、複数の箱を連結して使用することを想定している。箱は最下段と上段で構造が異なるため最下段と上段の直方体、またコーナーを構成する円弧状の箱のように複数種類の箱を複数個準備する必要がある。また未使用時に収納する場合、箱同士が重なり合う構造になっていないため使用時と変わらない容積で収納することになり場所を取る。
また、注水時は箱を並べて一つひとつの箱にそれぞれホース等で水を入れる必要があり、人手と長時間を要する作業になってしまう。
また、箱は硬質プラスチックなどの軽量素材を使うとしているが、箱は数十ｃｍ程度の大きさになることを想定すると箱同士の水平連結や垂直積みの間を隙間なく連結する必要があり、歪が無い高精度な寸法で箱を製造しなければならない。そのため箱の原価が高額になり複数の箱を購入する費用も高額になってしまう。
【０００６】
特許文献２では複数のボックスに一か所から注水する先行技術が開示されている。このボックスは単体ではなく複数を連結固定されているので横穴を開けるだけで注水できるが、ボックス全体のサイズが大きくなるため個々のボックスを折り畳み可能な構造にしており、実現するには複雑で高度な技術を必要とし高額な製品になってしまう。
【０００７】
特許文献３及び非特許文献１では、普段は植物栽培用プランターとして設置し増水時には建物の出入口にプランターを並べて連結手段で連結し防水壁を構成するもので、建物の出入口付近に常設しておき、非常時には迅速に移動できることが特徴となっている。しかしプランターを横一列に並べるだけで、扇形の展開や多段積みもできず設置の自由度が無いため、対応できる出入口が限られてしまう。また土と植物が入ったプランターは重量が重く非常時に複数のプランターを必要な場所まで移動させる労力が大きな負担になる。
【０００８】
本発明は、前述した従来の浸水防止用具の問題点を解決した安価で収納性が良く使い勝手を向上させた防水装置を提供することを目的とする。
【課題を解決するための手段】
【０００９】
上記の目的を達成するため、本発明の防水装置は建物の出入口に設置され浸水を防ぐ防水装置であって、上部が開放された水を溜める複数のボックスで構成され、前記ボックスは上部から下部にかけて勾配を付けることで上部より底面を小さくし、底面に水抜き穴を設け、上部の対向した側面二か所に切り欠きを設け、前記切り欠きの一方は、切り欠いた部分に他のボックスと連結させる連結部を形成し、前記ボックス内側向きに突き出し部を設け、前記切り欠きを形成しない側面の外側に止水プレートを挟み込むための規制溝を設けたことを特徴としている。
【００１０】
ボックスを連結させた状態でボックス間にできる隙間を塞ぐため止水プレートを使う。ボックスを連結させた状態で隣り合うボックス側面に形成した規制溝に止水プレートを挟み込むことで隙間からの漏水を防ぐ。止水プレートはボックス本体より柔らかい材質であり、ボックス側面の規制溝の傾斜に合わせて上部が狭い台形形状とし、規制溝と同等以上の寸法にして強制的に挟み込んで固定する。
【００１１】
ボックスは少なくとも略直方体と略扇形の２種類を作り、どちらか一方あるいは両方を任意の数使用し、横に連結させ上に積み上げることで任意の形に組み立てることができる。
略扇形ボックスは単体または複数を連結させることで扇形に配置する際の角度を選択できる形状としている。略直方体ボックスは直線上に連結するが、角度を付けたい部分には略扇形ボックスを連結させる。
【００１２】
ボックスには突き出し部を設けるが、突き出し部には上段のボックスを載せる受け面と上段ボックスの姿勢を保持する部分を設ける。また突き出し部は対向面の中央部とそれ以外の位置に形成し、かつ対向面で互いに異なる形状とすることによってボックスを積み重ねる方向を変えることで重なり量を深く、浅く変えることができる。
複数のボックスを連結させた状態で、中央付近の一つのボックスから注水すると、切り欠きを連結させて形成した水路、および底面の水抜き穴を経由して全てのボックスに注水することができる。
【発明の効果】
【００１３】
本発明の防水装置によると、複数のボックスを組み合わせることで建物出入口の構造や浸水状況に合わせて任意の大きさの防水装置を組み立てることができる。
略扇形ボックスを使うことで防水装置を扇形に展開できるが、扇の外側から浸水の水圧を受けることでボックス同士が密着し、防水装置全体の耐圧、耐水性が高まる。
ボックスは上部から下部にかけて勾配を付けるが、樹脂材のボックスにする場合は射出成形の抜き勾配となり金型構造を簡単にして製品を安く提供できる。勾配を付けることで隣同士のボックスに隙間ができる問題は止水プレートで隙間を塞ぐことで解決している。
止水プレートはボックスより柔らかい材質で上部が狭い台形とし、寸法はボックスの規制溝に合わせるか少し大きくし、これを規制溝に沿ってボックス間に強制的に装着する。ここでボックスに水が入ると水の重量で止水プレートが規制溝と地面に圧接され止水効果を発揮する。
【００１４】
ボックスは未使用時には同じ方向に積むことで深く重なるので小さく収納できるが、使用時は逆方向にボックスを積むことで突き出し部の上にボックスが乗り、上下段ボックスに十分水を溜めることができる。上段ボックスは下段ボックスの錘として水圧による浮き上がりを防止する機能と、水位が下段を超えるときは上段にも浸水防止機能を持たせることができる。
突き出し部は突き出し量を二段階にしており、その一部を上段ボックスの下部寸法に合わせた突き出し量にすることによって上段ボックスを置いたときボックスの姿勢を保持することができる。上段ボックスの姿勢が傾かないようにする効果、および下段ボックスに水が溜まったとき上段ボックスが浮力で浮かないよう抑える効果もある。
【００１５】
突き出し部は対向した側面の中央部にも形成するが、ボックスを持ち運ぶときには持ち手となり水の入ったボックスや重ねたボックスを運ぶときに役立つ。
ボックスには入れる水の重量や外部から受ける水圧で大きな負荷が掛かるが、突き出し部を設けることは補強リブとしての機能も果たし、肉厚を薄く軽量化することが可能になる。
ボックスの側面のうち少なくとも一つは側面の内側と外側を平坦な面にしているが、ボックスのこの側面を水や土砂を汲み上げるバケツ代わりに使うとき作業し易い。またボックスには勾配を付けているのですくい易い構造になっている。
【図面の簡単な説明】
【００１６】
【図１】防水装置を構成する略直方体のメインボックスを表した外観図
【図２】防水装置を構成する略直方体のメインボックスの内側を表した図
【図３】防水装置を構成する略直方体のメインボックスを縦・横に連結し止水プレートを組み込んだ図
【図４】防水装置を構成する略直方体のメインボックスを未使用時に積み重ねた状態を表した図
【図５】防水装置を構成する略扇形のサブボックスを表した外観図
【図６】防水装置を構成する略扇形のサブボックスの内側を表した図
【図７】防水装置を構成する略扇形のサブボックス上段を表した外観図
【図８】防水装置を構成する略扇形のサブボックスを縦・横に連結し止水プレートを組み込んだ図
【図９】防水装置を構成する略扇形のサブボックスを未使用時に積み重ねた状態を表した図
【図１０】メイン・サブボックスを一段連結させた防水装置の全体構成
【図１１】メイン・サブボックスを二段連結させた防水装置の全体構成
【図１２】メイン・サブボックスを二段連結させた防水装置の全体構成、別の組み合わせ例
【図１３】防水装置を構成する略直方体のメインボックスにシート用フックを付けた外観図
【図１４】防水装置を構成する略扇形のサブボックスにシート用フックを付けた外観図
【図１５】二段連結させ防水シートを掛けた防水装置の側面図
【図１６】メインボックスの底面図
【発明を実施するための形態】
【００１７】
本発明の実施形態について、図面を参照しながら説明する。図１は略直方体のメインボックス１であり、複数のメインボックス１を直線上に配置することで防水装置を構成する。図２はメインボックス１の内部構造を示す。本発明のメインボックス１は、１種類で下段と上段とに同じものを使うことができる。
メインボックス１は、側面５ａ、５ｂ、５ｃ、５ｄによって略直方体に形成されている。
対向する一対の側面５ａ、５ｂの上端には、切り欠き２と、切り欠き２を兼ねた連結部を形成する連結フック３とを有している。切り欠き２は側面５ａの上端の一部に、連結フック３は側面５ｂの上端の一部に有している。切り欠き２及び連結フック３は、側面５ａ、５ｂ、５ｃ、５ｄの上端より低く形成され、注水するときの水路になる。連結フック３は隣のメインボックス１の切り欠き２、又は隣のサブボックス２１の切り欠き２２（図５参照）に引掛けて連結する役目をする（図１０参照）。
【００１８】
側面５ｂには突き出し部４ａが形成され、側面５ａには突き出し部４ｂ、４ｃ、４ｄが形成されている。突き出し部４ａ、４ｂ、４ｃ、４ｄは、メインボックス１内部が凸状、メインボックス１外部が凹状であり、側面５ａ、５ｂの底部から、側面５ａ、５ｂの上部までに同じ高さで形成されている。突き出し部４ａ、４ｂ、４ｃ、４ｄは、側面５ａ、５ｂの上端には至らない高さとしている。また、突き出し部４ａ、４ｂ、４ｃ、４ｄの幅は、底部が上部よりも広く形成している。
突き出し部４ａ、４ｃは、それぞれ側面５ｂ、５ａの中央部に位置させることで運ぶときの持ち手として機能する。一方の側面５ｂに突き出し部４ａを形成し、他方の側面５ａに突き出し部４ｂ、４ｃ、４ｄを形成することで、２つのメインボックス１を同じ方向として重ねると深く重なり、１８０度逆方向として重ねると上段のメインボックス１は突き出し部４ａ、４ｂ、４ｃ、４ｄまでの浅い重なりとなる。突き出し部４ａ、４ｂ、４ｃ、４ｄの上端は、突き出し量（高さ）を異ならせて二段に形成している。
【００１９】
突き出し部４ａには、第１上端面４ａ１と第２上端面４ａ２とを形成し、第１上端面４ａ１は第２上端面４ａ２より高く、第２上端面４ａ２は第１上端面４ａ１よりもメインボックス１の内方に形成している。第１上端面４ａ１は、上段に積まれるメインボックス１の姿勢を保持し、第２上端面４ａ２は上段に積まれるメインボックス１を載置する面として機能する。突き出し部４ａと同様に、突き出し部４ｂには、第１上端面４ｂ１と第２上端面４ｂ２とを形成し、突き出し部４ｃには、第１上端面４ｃ１と第２上端面４ｃ２とを形成し、突き出し部４ｄには、第１上端面４ｄ１と第２上端面４ｄ２とを形成している。
第１上端面４ａ１、４ｂ１、４ｃ１、４ｄ１は同じ高さであり、第２上端面４ａ２、４ｂ２、４ｃ２、４ｄ２は同じ高さである。
【００２０】
側面５ｃは、内外面を凹凸を形成しない平坦にしており、災害時には水の汲み出しや土砂をすくう作業にこの面が有効に使える。また連結フック３は水や土砂をすくうときには持ち手としても機能する。
【００２１】
図２に示す水抜き穴６は、水を溜めるときはゴム栓等で蓋をし、災害が終わった後で防水装置を片付けるときは栓を抜いて容易に水抜きすることができ、メインボックス１単体で水を運んで有効活用することもできる。
【００２２】
メインボックス１は、水の重量や外部からの水圧に耐えるため硬質の樹脂が適しているが、リサイクル樹脂材が活用できる。例えば学校など様々な場所で回収されている飲料キャップのポリプロピレンなどから再生することも可能であり社会貢献につながる。メインボックス１は必要な機能を果たせば硬質樹脂に限らず他の材料でも代用できる。
【００２３】
図１に示す規制溝７は、メインボックス１の側面５ｄに、上部から下部にかけて傾斜を付けて形成しており、規制溝７によって止水プレート８を挟み込む（図３参照）。止水プレート８は、メインボックス１より柔らかい材料が良く、ポリエチレンなど柔らかくて変形し易い材料が適している。
【００２４】
図３は２つのメインボックス１ａ、１ｂを横に連結させ、上段には２つのメインボックス１ｃ、１ｄを載置させた状態を示す図である。
メインボックス１ａの規制溝７ａとメインボックス１ｂの規制溝７ｂとの間は、上辺が狭い台形形状となり、規制溝７ａ、７ｂに沿って止水プレート８を挟む。上段のメインボックス１ｃ、１ｄは、下段のメインボックス１ａ、１ｂに対して１８０度逆方向としてメインボックス１ａ、１ｂに載せる。上段のメインボックス１ｃ、１ｄは、下段のメインボックス１ａ、１ｂの突き出し部４ａ、４ｂ、４ｃ、４ｄで受けている。
【００２５】
図４は、３つのメインボックス１を同方向として積み重ねている。このように、メインボックス１を同方向として積み重ねる場合には、重ね合わせ量を深くでき、水を入れない未使用時は多数のメインボックス１を重ねて運ぶことが可能であり、収納スペースを小さくできる。
【００２６】
図５及び図６は略扇形のサブボックス２１を表した図である。
本実施形態ではサブボックス２１は、側面２５ａ、２５ｂ、２５ｃ、２５ｄ、２５ｅによって上面視で五角形の形状にしている。対向する一対の側面２５ａ、２５ｂの上端には、切り欠き２２と、切り欠き２２を兼ねた連結部を形成する連結フック２３とを有している。切り欠き２２は側面２５ａの上端の一部に、連結フック２３は側面２５ｂの上端の一部に有している。切り欠き２２及び連結フック２３は、側面２５ａ、２５ｂ、２５ｃ、２５ｄ、２５ｅの上端より低く形成され、注水するときの水路になる。連結フック２３は隣のメインボックス１の切り欠き２、又は隣のサブボックス２１の切り欠き２２に引掛けて連結する役目をする（図１０参照）。
【００２７】
側面２５ｂには突き出し部２４ａが形成され、側面２５ａには突き出し部２４ｂが形成されている。突き出し部２４ａ、２４ｂは、サブボックス２１内部が凸状、サブボックス２１外部が凹状であり、側面２５ａ、２５ｂの底部から、側面２５ａ、２５ｂの上部までに同じ高さで形成されている。突き出し部２４ａ、２４ｂは、側面２５ａ、２５ｂの上端には至らない高さとしている。また、突き出し部２４ａ、２４ｂの幅は、底部が上部よりも広く形成している。
突き出し部２４ａ、２４ｂは、それぞれ側面２５ｂ、２５ａの中央部に位置させることで運ぶときの持ち手として機能する。
突き出し部２４ａ、２４ｂによって、上段に載置する上段用サブボックス３１（図７参照）を受ける。
【００２８】
本実施例では、突き出し部２４ａ、２４ｂの上端は、メインボックス１のように二段に形成していないが、突き出し量（高さ）を異ならせて二段に形成してもよい。なお、上段用サブボックス３１は外周が五角形であり、メインボックス１より底面積が小さくなっており、型抜き勾配を小さくするなどの対応によって二段形成にしなくても姿勢の保持ができる。サブボックス２１は下段専用に使う。
【００２９】
図６に示す水抜き穴２６は、水を溜めるときはゴム栓等で蓋をし、災害が終わった後で防水装置を片付けるときは栓を抜いて容易に水抜きすることができ、サブボックス２１単体で水を運んで有効活用することもできる。
【００３０】
図５に示す規制溝２７は、サブボックス２１の側面２５ｃ、２５ｄに、上部から下部にかけて傾斜を付けて形成しており、規制溝２７によって止水プレート８を挟み込む（図８参照）。止水プレート８は、サブボックス２１より柔らかい材料が良くポリエチレンなど柔らかくて変形し易い材料が適している。
【００３１】
図７は上段用サブボックス３１を表した図である。上段用サブボックス３１は、側面３５ａ、３５ｂ、３５ｃ、３５ｄ、３５ｅによって上面視で五角形の形状にしている。上段用サブボックス３１は、サブボックス２１の切り欠き２２と連結フック２３の位置とは、切り欠き３２と連結フック３３の位置が逆になっている。すなわち、切り欠き３２は側面３５ｂの上端の一部に、連結フック３３は側面３５ａの上端の一部に有している。
切り欠き３２及び連結フック３３は、側面３５ａ、３５ｂ、３５ｃ、３５ｄ、３５ｅの上端より低く形成され、注水するときの水路になる。連結フック３３は隣のメインボックス１の切り欠き２、又は隣の上段用サブボックス３１の切り欠き３２に引掛けて連結する役目をする（図１１参照）。
【００３２】
なお、図示していないが、突き出し部をサブボックス２１の突き出し部２４ａ、２４ｂと異なる位置に形成することによって、上段用サブボックス３１をサブボックス２１の突き出し部２４ａ、２４ｂで受けることができる。サブボックス２１は辺の長さが異なるので方向を変えて積み重ねることができず、上段用サブボックス３１をサブボックス２１とは別に用意する。
【００３３】
本実施形態ではサブボックス２１と上段用サブボックス３１とは角度３０度の扇形であり、連結させることで３０度、６０度、９０度と角度を持たせることができる。サブボックス２１と上段用サブボックス３１の基本角は必ずしも３０度である必要はなく他の角度で組み合わせても良い。
【００３４】
図８は２つのサブボックス２１ａ、２１ｂを横に連結させ、上段には２つの上段用サブボックス３１ａ、３１ｂを連結させた図である。
連結させたサブボックス２１ａとサブボックス２１ｂとの間に止水プレート８を挟むが、止水プレート８はメインボックス１で使用するものを共通で使えるように設計されている。
サブボックス２１ａの規制溝２７ａとサブボックス２１ｂの規制溝２７ｂとの間は、上辺が狭い台形形状となり、規制溝２７ａ、２７ｂに沿って止水プレート８を挟む。
【００３５】
図９は、３つのサブボックス２１を積み重ねており、未使用時の収納性は良い。サブボックス２１同士、上段用サブボックス３１同士はそれぞれ多段に重ねることができる。
【００３６】
図１０はメインボックス１とサブボックス２１を組み合わせて一段だけで連結させている。連結フック３、２３を隣接するメインボックス１の切り欠き２、およびサブボックス２１の切り欠き２２に引掛けることでメインボックス１を横に連結させている。この連結フック３、２３と切り欠き２、２２を連結させた部分が水路となり、隣接するメインボックス１およびサブボックス２１へ水を流す。中央付近となるメインボックス１又はサブボックス２１の一か所にホース等を入れて注水すると両側のメインボックス１及びサブボックス２１へ水が流れていき、両端のメインボックス１又はサブボックス２１の外側の切り欠き２、２２から水がこぼれ出すと全てのメインボックス１及びサブボックス２１の切り欠き２、２２の下端まで注水されている。それぞれのメインボックス１及びサブボックス２１の間には止水プレート８を挟んでいる。本発明では一段の連結だけでも構成することができる。浸水量が低い想定では一段構成で対策できる場合もある。
【００３７】
図１１は二段連結の図であり、コーナーにはサブボックス２１を３個連結して９０度とし、全体をコの字に配置しており比較的広い場所に使う場合に適している。図１２は６０度コーナーとしてサブボックス２１を２個と、両端にサブボックス２１を１個ずつ配置することで、比較的小さな扇形を構成している。このようにサブボックス２１の使い方によって連結の形を自由にできる。
【００３８】
図１２では両端の上段用サブボックス３１に切り欠きカバー９を装着することを示している。切り欠きカバー９を、両端に位置する上段用サブボックス３１の切り欠き３２及び連結フック３３に装着することにより水が両端から外に溢れることを防止し、上段に配置したメインボックス１及び上段用サブボックス３１に水をフル充填できる。また切り欠きカバー９の別の目的として、メインボックス１の列の端からホースで注水した場合でも全体に水を流すことが可能になる。
図１１および図１２において、メインボックス１は１種類だが、下段と上段では向きを逆にして用いている。また下段にはサブボックス２１を用い、上段には上段用サブボックス３１を用いる。下段ボックス同士、上段ボックス同士は連結フック３、２３、３３で連結しており、下段には止水プレート８を挟みこんでいる。
【００３９】
作業手順は、設置する複数のボックス１、２１、３１を、水が入っていない状態で設置場所まで運び、下段のボックス１、２１を横に並べ連結フック３、２３を引掛けて連結する。全てのボックス１、２１間に止水プレート８を挟む。下段のボックス１、２１の水抜き穴６、２６には全て栓をする。次に図１１や図１２のように二段連結する場合は、上段のボックス１、３１を、下段のボックス１、２１の上に載せて隣のボックス１、３１に連結フック３、３３を引掛ける。これで防水装置の組み立てが完了するが、これらの作業は水が無い状態で行うので力が要らず誰でもできる軽作業である。
組み上がった防水装置は建物の出入口を囲う配置になるが、防水装置の両端のボックス１、２１と建物の間に若干の隙間があるため、それぞれの建物の構造に合わせて止水テープやスポンジ付きのテープなどを使って隙間を塞ぐ作業をする。また床面が土や砂利など平坦でない場合は、ボックス１、２１の下にスポンジや布など柔らかい素材のシートを敷く、またはボックス１、２１の底面にテープ貼りすることで床面からの浸水を防ぐことができる。止水テープやクッション素材付きテープなどは防水装置と共に提供することもできるが、使用者が設置場所に合わせて市販の汎用品を使い隙間を塞ぐことも可能である。
【００４０】
以上の準備ができたら中央のボックス１、２１、３１からホース等で注水する。二段連結の場合は中央上段のボックス１、３１から注水する。二段連結の場合、下段のボックス１、２１は水抜き穴６、２６に栓をして、上段のボックス１、３１の水抜き穴６は栓をしないで注水する。下段のボックス１、２１に水が溜まったら上段のボックス１、３１の水抜き穴６に栓をする。上段のボックス１、３１に水が溜まったら注水を止めて防水装置の設置が完了する。
浸水時の水位が上昇してくると下段のボックス１、２１は浮力で浮き上がる可能性があるが、上段のボックス１、３１は下段が浮き上がらないための錘として機能する。更に水位が下段のボックス１、２１を超えることが想定される場合、上段のボックス１、３１にも防水機能を付加することができる。図１１及び図１２では浸水の水位が下段のボックス１、２１レベルと想定して上段のボックス１、３１間は隙間が空いている。図示していないが、上段のボックス１、３１の隙間を塞ぐ止水プレートを別に用意することが可能であり、上段のボックス１、３１の隙間を塞ぐことで水位が下段のボックス１、２１を超えても防水できる。ただしどこまでの水位に耐えられるかは建物周辺の地形や浸水の勢いによって異なる。
【００４１】
水位が上段のボックス１、３１まで上昇する場合の対応策として、例えばブルーシートのように市販で容易に入手できる防水シートを使用する方法がある。組み立てたボックス１、２１、３１全体を防水シートで覆うことにより上段のボックス１、３１の隙間を埋める。図１３はメインボックス１にシート用フック１０を付けた構成、図１４はサブボックス２１にシート用フック１０を付けた構成である。図１５はボックスを二段構成にした側面図で、防水シート１１の穴をシート用フック１０に掛けてボックス底面に防水シート１１を敷き込んで、防水シート１１を固定しながら全体を覆うことができる。防水シート１１を掛けた後でボックス１、２１、３１の両端からホースを入れて全体に給水する。
【００４２】
浸水の水が引いた後は、水抜き穴６、２６の栓を外しボックス１、２１、３１の水を抜いてボックス１、２１、３１を重ね合わせ簡単に片付けることができる。ボックス１、２１、３１の底面には補強リブを設けているが、水抜き穴６、２６の栓を抜いて水抜きする場合、ボックス１、２１、３１を設置したままではリブが壁になって水の抜けが悪くなる。図１６はメインボックス１の底面を示しているが、補強リブ切り欠き１２のようにリブの一部を切り欠くことで水抜きを容易にしている。サブボックス２１、３１も同様のリブ形状にする。
またボックス１、２１、３１を上に持ち上げることで簡単に連結フック３、２３、３３を外せるので、水を入れたまま単体で運び利用することも可能である。ボックス１、２１、３１は未使用時には倉庫に収納できるが、プランターやバケツなどの代用として普段使いしても良い。
【産業上の利用可能性】
【００４３】
本発明の防水装置を用いることで建物への浸水防止を簡易に行うことができる。
【符号の説明】
【００４４】
１  メインボックス
１ａ  メインボックス
１ｂ  メインボックス
１ｃ  メインボックス
１ｄ  メインボックス
２  切り欠き
３  連結フック
４ａ  突き出し部
４ａ１  第１上端面
４ａ２  第２上端面
４ｂ  突き出し部
４ｂ１  第１上端面
４ｂ２  第２上端面
４ｃ  突き出し部
４ｃ１  第１上端面
４ｃ２  第２上端面
４ｄ  突き出し部
４ｄ１  第１上端面
４ｄ２  第２上端面
５ａ  側面
５ｂ  側面
５ｃ  側面
５ｄ  側面
６  水抜き穴
７  規制溝
７ａ  規制溝
７ｂ  規制溝
８  止水プレート
９  切り欠きカバー
１０  シート用フック
１１  防水シート
１２  補強リブ切り欠き
２１  サブボックス
２１ａ  サブボックス
２１ｂ  サブボックス
２２  切り欠き
２３  連結フック
２４ａ  突き出し部
２４ｂ  突き出し部
２５ａ  側面
２５ｂ  側面
２５ｃ  側面
２５ｄ  側面
２５ｅ  側面
２６  水抜き穴
２７  規制溝
２７ａ  規制溝
２７ｂ  規制溝
３１  上段用サブボックス
３１ａ  上段用サブボックス
３１ｂ  上段用サブボックス
３２  切り欠き
３３  連結フック
３５ａ  側面
３５ｂ  側面
３５ｃ  側面
３５ｄ  側面
３５ｅ  側面
【要約】
【課題】台風や豪雨による増水時に建物の出入口への浸水を防止するため従来の土のうや水のうに代わる防水装置であって、小型軽量で収納性が良く使い勝手を向上させた防水装置を提供する。
【解決手段】上部が開放されて内部に水を溜める複数のボックス１で構成され、ボックス１の上部から下部にかけて勾配を付けることで上部よりも底面を小さくし、底面に水抜き穴６を設け、上部の対向した側面５ａ、５ｂの二か所に切り欠き２を設け、切り欠き２の一方は、切り欠いた部分に他のボックス１と連結させる連結フック３を形成し、ボックス１には内側向きに突き出し部４ａ、４ｂ、４ｃ、４ｄを設け、切り欠き２を形成しない側面５ｄの外側に規制溝７を設けており、複数並べて連結させたボックス１間に止水プレート８を挟みこんで隙間を塞ぎ、任意の大きさの防止装置を組み立てる。
【選択図】  図３【図１】
0006951007.tif 000002
【図２】
0006951007.tif 000003
【図３】
0006951007.tif 000004
【図４】
0006951007.tif 000005
【図５】
0006951007.tif 000006
【図６】
0006951007.tif 000007
【図７】
0006951007.tif 000008
【図８】
0006951007.tif 000009
【図９】
0006951007.tif 000010
【図１０】
0006951007.tif 000011
【図１１】
0006951007.tif 000012
【図１２】
0006951007.tif 000013
【図１３】
0006951007.tif 000014
【図１４】
0006951007.tif 000015
【図１５】
0006951007.tif 000016
【図１６】
0006951007.tif 000017